(57)【要約】本発明は、一般的に、また一実施例において、ポリマー分散液晶セルまたはＰＤＬＣ１００を用いた放射エネルギー測定装置である。別の実施例において、本発明は電離放射線検出装置である。ＰＤＬＣ１００は２つの窓間にあって、それらと共にＰＤＬＣセル１０３を形成する。窓の材料についての唯一の制約は、光源１１０の波長に対して実質的に透過性でなければならないことである。電気信号発生器１０４をセル１０３に接続して、セルに一定の電界を与える。電気信号発生器により発生される波形は任意の交流電流波形でよい。セルは窓１０８を嵌め込んだ光密箱１０６内に、光源１１０及び光検出器１１２と共に収納されている。
2004525356.tif 000002
【特許請求の範囲】
【請求項１】
ポリマー分散液晶セルより成る電離放射線エネルギー検出装置。
【請求項２】
ポリマー分散液晶セルと、
セルの方へ光を向けた光源と、
セルに接続された電気信号発生器と、
光源と光学的整列関係にある、出力を発生可能な光検出器と、
電気信号発生器に接続され、光検出器からの出力を分析するプロセッサーとより成る電離放射線エネルギー検出装置。
【請求項３】
２またはそれ以上の検出器組立体より成る電離放射線エネルギー検出器のシステムであって、
各検出器組立体は、ポリマー分散液晶セルと、セルの方へ光を向けた光源と、セルに接続された電気信号発生器と、光源と光学的整列関係にある、出力を発生可能な光検出器と、電気信号発生器に接続され、光検出器からの出力を分析するプロセッサーとより成るシステム。
【請求項４】
ポリマー分散液晶セルは、ポリメタクリル酸メチル及び液晶Ｅ−８より成る請求項１の電離放射線エネルギー検出装置。
【請求項５】
ポリマー分散液晶セルは、ポリ塩化ビニル：ポリ酢酸ビニル−１７％及び液晶Ｅ−８より成る請求項１の電離放射線エネルギー検出装置。
【請求項６】
ポリマー分散液晶セルは、ポリメタクリル酸メチル及びコレステリック液晶より成る請求項１の電離放射線エネルギー検出装置。
【請求項７】
ポリマー分散液晶セルは、ポリ塩化ビニル：ポリ酢酸ビニル−１７％及びコレステリック液晶より成る請求項１の電離放射線エネルギー検出装置。
【請求項８】
ポリマー分散液晶セルの屈折率は約１．４９と１．５２の間にある請求項１の電離放射線エネルギー検出装置。
【請求項９】
開口を有する光密箱内に収納された請求項２の電離放射線エネルギー検出装置。
【請求項１０】
電気信号発生器は交流電流波形を発生する請求項２の電離放射線エネルギー検出装置。
【請求項１１】
電気信号発生器は方形波を発生する請求項２の電離放射線エネルギー検出装置。
【請求項１２】
電気信号発生器は正弦波を発生する請求項２の電離放射線エネルギー検出装置。
【請求項１３】
電気信号発生器により発生される波形の周波数は、約０．５Ｈｚと約２０Ｈｚの間にある請求項２の電離放射線エネルギー検出装置。
【請求項１４】
光検出器はシリコン光検出器である請求項２の電離放射線エネルギー検出装置。
【請求項１５】
光検出器は光電子増倍管である請求項２の電離放射線エネルギー検出装置。
【請求項１６】
光検出器はフォトアレイ検出器である請求項２の電離放射線エネルギー検出装置。
【請求項１７】
光源は単色光源である請求項２の電離放射線エネルギー検出装置。
【請求項１８】
光源はレーザーである請求項２の電離放射線エネルギー検出装置。
【請求項１９】
光源の波長は約６３３ｎｍである請求項２の電離放射線エネルギー検出装置。
【請求項２０】
ポリマー分散液晶セルを形成し、
光源の光をポリマー分散液晶セルの方へ向け、
電気信号発生器をポリマー分散液晶セルに接続して信号を発生させ、
出力を発生可能な光検出器を光源と光学的整列関係に配置し、
コンピューターを光検出器に取り付けて光検出器の出力を分析させるステップより成る電離放射線の検出方法。
【発明の詳細な説明】
【発明の技術分野】
【０００１】
本発明は、放射線検出器に関し、さらに詳細には、ポリマー分散液晶セルを用いた放射線検出器に関する。
【発明の背景】
【０００２】
本願は、２０００年１２月２９日付け米国仮特許出願第６０／２５８，７２０号の優先権を主張するものである。アメリカ合衆国政府は、国家科学財団の補助金契約ＩＮＴ−９６１０５７８の規定に従って本発明に関し或る特定の権利を所有する。
【０００３】
現在の放射線検出法は、電離放射線が物質を通過すると電荷を発生するという事実を利用するものである。その物質に電界を加えて電荷を収集することにより、電気信号を取り出すことができる。検出器の種類の選択は、放射線の性質、例えば、中性粒子対電荷粒子と、所望の目的、例えば、事象間のタイミングまたは所与の事象のエネルギーに応じて行う。例えば、タリウム活性化ヨウ化ナトリウムの単結晶は、タイミング測定特性は劣っているが、低エネルギー分解能で低エネルギーガンマ線を測定するのに好適である。高エネルギー分解能での測定を行うには、純度の高いゲルマニウムのようなソリッドステート単結晶検出器を使用すればよい。
【０００４】
現在手に入れることができる単結晶検出器は、動作時に、例えば７７Ｋのような低温に保持する必要があるため、極低温材料の使用が不可欠である。ガイガーニューラー型装置は室温で動作するが、それらの用途は限られている。これらの放射線検出器は何れもサイズまたは形状の点で十分な柔軟性がない。フィルムバッジ型放射線検出器は時間積分値としての照射線量を指示するが、入射放射線のエネルギーに関する情報をもたらさない。
【０００５】
上記及び他の理由により、周囲温度で動作し、種々の測定方法に適応させるために簡単且つ低コストで種々のサイズまたは形状に構成可能な放射線検出器が必要とされている。
【発明の概要】
【０００６】
本発明は、一般的に且つ１つの実施例において、ポリマー分散液晶セルを用いた放射エネルギー測定装置である。
【０００７】
別の実施例において、本発明は、ポリマー分散液晶セルと、セルの方へ光を向ける光源とを用いた電離放射線検出装置である。セルは電気信号発生器に接続され、出力を発生可能な光検出器は光源と光学的整列関係にある。最後に、光検出器にはコンピューターが接続されて光検出器からの出力を分析する。
【０００８】
さらに別の実施例において、本発明は、２つまたはそれ以上の検出器組立体より成る電離放射線検出装置のシステムである。各組立体は、ポリマー分散液晶セル、そのセルに光を向ける光源、セルに接続された電気信号発生器、光源と光学的整列関係にあり出力を発生可能な光源、及び光検出器に接続されてその出力を分析するコンピューターより成る。
【０００９】
さらに別の実施例において、本発明は、ポリマー分散液晶セルを形成し、光源からの光をそのセルの方へ向け、セルを電気信号発生器に接続し、出力を発生可能な光検出器を光源に対して光学的整列関係に配置し、光検出器にコンピューターを取り付けて光検出器の出力を分析するステップより成る電離放射線検出方法である。
【００１０】
本発明の他の特徴及び利点は、添付図面を参照して以下の詳細な説明を読めば当業者にとって明らかになるであろう。
【実施例の詳細な説明】
【００１１】
本発明の種々の実施例の製造及び使用についての説明をポリマー分散液晶型放射線検出器に関連して行うが、本発明は広い範囲において実現可能な多数の発明概念を提供するものであることを理解されたい。本願に述べる特定の実施例は本発明を実施する特定の方法を例示するにすぎず、本発明の範囲を限定するものではない。
【００１２】
ポリマー分散液晶（以下、ＰＤＬＣと呼ぶ）フィルムは、電気的スイッチング可能な光デバイスに利用できる重要なクラスの材料を構成する。ＰＤＬＣフィルムは、光に対して透明なポリマー母材に分散された液晶材料の１ミクロン以下乃至ミクロンサイズの小滴より成る。ＰＤＬＣ装置を介する光の透過は、幾つかの重要なパラメータに依存する。これらのパラメータには、各小滴内部の局部電界（液晶及びポリマーの誘電特性及び液晶−ポリマー界面における電荷の蓄積／散逸に依存する）、各小滴における分子ディレクターの再配向及び小滴それ自体の形状及び再配向が含まれる。その装置は、種々のサイズ及び形状の小滴が分布したものである。電界が存在しない場合、球形の小滴の臨界半径によるが、１つの小滴内には可能な分子再配向の構成として２以上のものが考えられる。さらに、個々の小滴のディレクターの向きはランダムである。これら全てにより光が強く分散する。
【００１３】
電界が印加されると、小滴の分子ディレクターの形態、小滴の対称軸の配向及び小滴のディレクターの整列関係に変化が生じる。誘電異方性が正である場合(Δε＞０)、分子ディレクター及び小滴対称軸は電界に沿って整列する傾向があり、フィルムの透過性が増加する。ＰＤＬＣの複合的性質と、液晶の誘電異方性とにより、液晶の双極子が「見る」実効電界は外部電界とは非常に異なるものとなる。
【００１４】
本発明によるＰＤＬＣセルの一例は、ポリメタクリル酸メチルポリマー（以下、ＰＭＭＡと称する）中に液晶材料Ｅ８を含むものである。Ｅ８のミクロンサイズの小滴は、溶剤による相分離法を用いてＰＭＭＡポリマー母材中に分散された。この複合材料を厚さ２０ミクロンの絶縁材料で分離した２つのＩＴＯ被覆ガラス基板間に挟むことによりセルを構成した。液晶の小滴の平均サイズ（１ミクロンまたはそれ以下）は、等方相からの液晶の冷却速度により制御された。セルの応答の時間依存性は、Ｈｅ−Ｎｅレーザー、1組の偏光子、光電子増倍検出器、方形波電気パルス発生器及び２０ｋＨｚで作動するコンピューター制御のデータ収集分析ソフトウェアを用いる標準の光透過測定システムにより測定された。
【００１５】
図１は、方形波パルス印加後におけるＰＤＬＣセルの光透過及びその応答を示す。方形波電気パルスは０．５乃至２０Ｈｚの範囲の繰り返しレートで１ＭＶ／ｍの一定電界を発生するように印加された。パルスを印加すると、セルの透過性は、急速に増加して最大値になり（|ｄＥ/ｄｔ|＞０)の時はいつも、ほとんど突然に透過性が増加する）、その後、パルスの幅の間に指数関数的に減衰する。透過性の増加は２乃至５ミリ秒の立上がり時間で起こるが、これは小滴内の分子ディレクターが急速に整列状態になることを表す。さらに、電界に沿う小滴のディレクターの再整列も寄与する。これは比較的ゆっくりしたプロセスであり、セルの迅速なスイッチオンに有意に寄与するとは思われない。電界が印加されると、ポリマー母材に電荷を発生させるはずである。これらの電荷がＰＤＬＣの複合材料中を拡散して小滴とポリマーとの界面に蓄積されるため、セル応答の時間依存性が増加する。
【００１６】
さらに、電気的な観点から、ある特定の時定数をＰＤＬＣセルに付与することが可能であるが、これは複合インピーダンスＺd＝Ｚel＋Ｚpを有する回路素子とみることができる。この式のＺelはＰＤＬＣフィルムと電極との界面における電気的応答を含む電極インピーダンスであり、ＺｐはＰＤＬＣフィルムのバルクインピーダンスである。Ｚelは、小滴とポリマーとの界面における電荷の転送、電極におけるイオンの増加に起因する界面容量及びＩＴＯの抵抗を表す。インピーダンスＺpは、ＰＤＬＣフィルムの二相構造によるものである。以下に述べる理論モデルは、印加されるパルスの内側及び外側における同じ減衰時間での指数関数的減衰を予想する。しかしながら、本発明による測定では、単一の指数関数ではセル応答を説明できず、印加されるパルスの内側及び外側におけるセル応答の減衰時間は同一でないことがわかる。さらに、本発明は、セル応答における新しい特徴、即ち、遅延成分を与える。
【００１７】
最初の立上がり後、パルス持続時間の間に急速に減衰するが、セル応答は、透過性が増加した後、印加されるパルスの残りの幅の間に再び指数関数的に減衰することを示す。同じような挙動は印加されるパルスの幅の外側でも観察されるが、減衰時間は有意に異なるものである。セル応答を２つの成分に分解すると、結果をより良く理解できる。セル応答の早い部分は、指数関数とバックグラウンドとしての定数とにより表される。このはめ込みの結果を全応答から減算し、その差の曲線を遅延成分とする。印加されるパルスの幅の内側または外側の両方におけるセルの応答を、この方法に従って分析することができる。
【００１８】
測定されるセル応答は、単一の指数関数的減衰よりも格段に複雑なものである。急速な増加の後、セル応答はτdecay1off = (30±2)ミリ秒の減衰時間で指数関数的に減衰する。同時に、遅延成分は、τroff = (24±1) ミリ秒の立上り時間で増加する。時間ｔ＝τdelay2で最大値に到達すると、この遅延成分はτdecay2off ＝(40±2)ミリ秒の遅延時間で減衰する。５Ｈｚのデータの場合、τdelay1 は１０ミリ秒及びτdelay2 は５０ミリ秒にほぼ等しい。０．５、１及び１０Ｈｚの繰り返しレートで電界を印加した場合同じような結果が得られる。減衰時間は印加される電界の幅の内側及び外側で異なるため、これらの時間周期内で働く緩和機構が電界による影響を受け、それらは異なるものである。 その結果、τdelay2 ＞τdelayであるが、これはτdelay1の間外部により印加された電界が存在するが、τdelay2の間かかる電界が存在しないという事実と一致する。もちろん、界面電荷による残留電界が依然として存在する。
【００１９】
遅延成分をもたらす物理的プロセスに関する限り、２つの効果が考えられる。これらは、１）球形でない小滴のディレクターの再整列と、２）小滴とポリマーとの境界における十分な電荷の蓄積による電界の変化|ｄＥ/ｄｔ|である。印加されるパルスの幅の内側における１０ミリ秒にほぼ等しい時間遅延τdelay1の値と、印加されるパルスの幅の外側における５０ミリ秒にほぼ等しい時間遅延τdelay2の値とは、２つの重要なパラメータである。時間遅延は、印加される電界に沿う球形でない小滴の対称軸の再配向かまたは液晶とポリマーとの界面における十分な電荷の形成の何れかに必要な平均時間を表す。後者は幾つかの異なるプロセス、即ち、ポリマー母材における電荷の発生、印加される電界の作用による電荷の拡散及び液晶とポリマーとの界面におけるそれらの平衡配列にかかわる。減衰速度τと減衰時間τdelayとの間の相互作用により、それ以上では減衰成分が観察されないと思われる、印加される電界パルスの繰り返しレートの限界（＝τdelay-1）が設定される。Ｅ８−ＰＤＬＣの場合、繰り返しレートの上方限界は１００Ｈｚである。繰り返しレートが２０Ｈｚより高い場合は、遅延成分は観察されない。
【００２０】
幾つかのプロセスがセルの応答に寄与するが、これには、液晶の小滴の誘電特性、液晶とポリマーとの界面における電荷の蓄積／散逸、球形でない小滴の再配向及び力学などがある。タイプ２の材料（ポリマー）の母材中にランダムに分布するタイプ１の材料の回転楕円状の介在物（液晶の小滴）より成るフィルムの誘電応答は、下記のようにモデリングされている。
【００２１】
ε = ε2 + 3v1[ε2 (ε1-ε2)/{ε1 + 2ε2 - v1 (ε1 - ε2)}],    （１）
上式において、v1はタイプ１の材料の体積比、ε1及びε2はフィルムの２つの材料の等方相の比誘電率である。これらの比誘電率は、散逸機構を説明するために複素数であると仮定される。
【００２２】
関連性のある理論モデルの主要点は下記の通りである。印加される電界が低周波数で、液晶の導電率がポリマーの導電率よりも格段に大きい（Ｅ８−ＰＭＭＡのＰＤＬＣにとって適当である）場合、液晶とポリマーとの界面には電荷の有意な蓄積が存在する可能性がある。従って、小滴側から「見る」電界は、遮蔽効果により印加される電界とは有意に異なる可能性がある。高周波数では、液晶とポリマーとの界面には電荷の蓄積はほとんど存在しない。そのため、ＰＤＬＣの導電性は液晶の導電性により支配される。振幅はＶ0で、持続時間ｔ0の方形波電圧パルスを時間t=0で印加すると、このモデルは小滴内部において下記の電界方程式を与える。
【００２３】
Ein＝0 : for t＜0,
Ein(t)＝E0＋(E∞−E0) exp(−t/τ), for 0＜t＜t0,
Ein(t)＝−2(E∞−E0)sin(t0/τ)exp(−(t−t0)/τ), for t0 ＜t    （２）
上式において、E0 及びE∞はそれぞれ低周波数及び高周波数における電界である。一方、このモデルは0＜t＜t0とt0 ＜tとの両方において１つの減衰速度を予想するが、データによると、Ｅ８−ＰＤＬＣセルの応答は単一の指数関数的減衰に比べると格段に複雑であることがわかる。
【００２４】
さらに別のプロセスを理論的に検討すると、測定値のより現実的な説明が得られる。例えば、式（２）は、液晶の小滴が球状であるという仮定により導出されたものである。ＰＤＬＣは恐らく、種々のサイズ及び形状の液晶の小滴が分布したものであろう。これは、Ｅ８−ＰＭＭＡのＰＤＬＣの走査電子顕微鏡写真により確認される。この特徴だけでも複雑さが増加し、印加電界に対する比較的小さなそして高い異方性を有する小滴の応答は大型で球形の小滴の応答とは非常に異なるものになる可能性がある。液晶の小滴のサイズ及び形状の分布により、セルには２以上の緩和機構が働いていると予想するのが合理的である。さらに、印加パルスの間及びその後の両方における界面電荷の力学を考慮する必要がある。半長軸ａ、半短軸ｂの細長い小滴の緩和時間は、下式で与えられる。
【００２５】
τon-1＝(1/γ1)[ΔεE2＋{K(l2-1) (1-tan2λ2)/(a2 (1＋tan2λ2)}
{(1＋tan2λ1)/(1−tan2λ1)
τoff ＝λ1 a2/{K(l2-1)                              （３）
上式において、λ1 は回転粘度、Δεは誘電異方性、Ｅは電界、Ｋは実効変形定数、1=a/bは小滴のアスペクト比、λ1 及びλ2は電界が消滅すると小滴のディレクターが角度λ1 及びλ2から戻るような２つの角度である。これらの式は明らかに、小滴の球形でない形状が緩和時間に与える影響を示している。パラメータが合理的な値で、小滴がわずかに細長い（アスペクト比1=1.1場合、これらの式は、τon が２５ミリ秒に、またτdelay2 が５０ミリ秒にほぼ等しい我々の測定値によく一致する緩和時間の値を与えることは興味深い。
【００２６】
液晶とポリマーとの界面における電荷の蓄積／散逸は、ＰＤＬＣセル中のポリマー母材に大きく依存すると予想される。ポリマー母材中にさらに多くの電荷を意図的に発生させて、ＮＦ１００の液晶材料で構成したＰＤＬＣセルの応答に対するそれらの影響を観察することが可能である。この目的で、~5μCi207Biの放射性源を用いてセルにガンマ線を照射する。放射性同位体は０．５７及び１．０６ＭｅＶのエネルギーレベルのガンマ線を発生する。比較的少量であるがＰＤＬＣセルのポリマーにガンマ線が吸収されるため、さらに電荷が発生する。セルの応答を、ガンマ線照射前と後において、時間の関数として測定した。
【００２７】
図３は、形状が特徴的な、照射時間の関数としてのセル応答のパラメータ（Ｒ）を示す。照射前では、Ｒは、測定値の統計的不確定性内において、時間とは無関係である。１時間照射した後、Ｒの有意な減少が観察される。この減少は、ＰＤＬＣにさらに電荷が発生したことによる。これら新しく発生した電荷が拡散して液晶とポリマーとの界面に蓄積すると、分子双極子が経験する実効電界が減少する。その結果、セルの透過性が減少し、Ｒが低い値になる。その後、約４時間照射を続ける間、このＲは低い値のままである。全部で５時間照射した後、放射性源を取り除き、１時間の「クーリングオフ」期間の後、セル応答を測定した。その結果、（８時間の時点における）Ｒは照射前のレベルに復帰した。照射をせずにさらに３時間経過した後Ｒを測定したが、このＲは高い値において一定である。この値は、照射前のＲの測定値に近い。Ｒの減少（３時間の時点における）は液晶とポリマーとの界面におけるさらなる電荷の発生によるものであるが、８時間の時点におけるＲの増加は印加される電界の作用によるこれらの電荷の散逸に起因する。データは、ＰＤＬＣセルにおける光の透過（従って、分子双極子が「見る」局部電界）に対するこれらのさらなる電荷の影響を示している。この影響の大きさは、ポリマー母材中に発生する電荷、ポリマー中の電荷の拡散及び界面における電荷の平衡蓄積及び散逸に依存するはずである。
【００２８】
本発明は、Polysciences Inc., USAから手に入れた２つの異なるポリマー、即ち、ポリメタクリル酸メチル（ＰＭＭＡ）及びポリ塩化ビニル；ポリ酢酸ビニル−１７％）（ＰＶＡ：ＶＡＣ−１７）と、B.D.H Englandからの液晶混合物Ｅ−８とから合成したＰＤＬＣフィルムを利用する。ポリマーＰＭＭＡ及びＰＶＣ：ＶＡＣ−１７の屈折率ｎｐは、室温（２３℃）においてそれぞれ１．４９及び１．５２であり、これは液晶混合物Ｅ−８（２３℃でｎ0=1.52）の屈折率ｎ0に非常に近い。各ポリマーは液晶混合物に対して低い溶解度を有する。ＰＤＬＣフィルムは、溶媒による相分離法を用いて調製した。適量の液晶混合物及びポリマーを共通の溶媒（クロロホルム／アセトン）に種々の重量比率で溶解させた。各濃度の均質溶液を適当な型内でフィルムの形に広げた。溶媒が蒸発すると、高い散乱性を有する白色フィルムが得られた。調製したフィルムの厚さをSurfometer SF-200(Planer Industrial, UK)を用いて測定した。ＰＤＬＣフィルムを基板から引き剥がして、２つの透明な導電性ガラス板の間に挟み、熱と圧力を同時に加えた。
【００２９】
ＰＤＬＣフィルムの散乱及び電気光学的特性は、フィルムの熱履歴に大きく依存した。電気光学的透過性を、Ｈｅ−Ｎｅレーザー光源（λ＝６３２．８ｎｍ）をＲＣＡ−９３１Ａ光電子増倍管と共に用いて通常の透過構成の簡単な装置で測定した。セルの温度を水循環器(Julabo HC-40, W. Germany)により＋／−０．１℃の精度で制御した。屈折率を測定する前にポリマーフィルムに溶媒が全く存在しないことを確かめた。
【００３０】
図４は本発明の一実施例を示す。図示のように、ＰＤＬＣ１００は２つの窓１０２の間に介在し、それらと共にＰＤＬＣセル１０３を形成する。窓の材料に対する唯一の制約は、それが光源１１０の波長に対して実質的に透過性でなければならないことである（以下参照）。電気信号発生器１０４をセル１０３に接続して、セルに一定の電界を与える。電気信号発生器により発生される波形は任意の交流電流波形でよく、非限定的な例として方形波及び正弦波がある。セル１０３は、開口１０８を嵌め込んだ光密箱１０６内に収納されている。この光密箱１０６には、光源１１０と光検出器１１２も収納されている。光源１１０と光検出器１１２とは、当業者に知られた任意タイプの特定のコンポーネントでよい。光源１１０の非限定的な例として、広帯域で且つ単色のランプ及びレーザーが含まれる。同様に、光検出器を予想される特定の用途に合うように選択することができる。それは、シリコン光検出器、アレイ検出器または光電子増倍管でよい。光源１１０はセル１０３に一方の側から光を向けるように配向し、また光検出器１１２は反対側に配置する。電気信号発生器により電気信号を加えると、液晶の配向により、光源１１０から光検出器１１２へベースレベルの光が透過する。
【００３１】
電離放射線の入射光子１１４がセルに衝突する。光子はＰＤＬＣ内に局部電荷を発生させて電界を変化させるが、これは液晶から電荷発生部位近くに分散しているように見える。電界のこの変化は、液晶及び／または小滴の配向の変化に反映するため、光源から光検出器へセルを透過する光の量が変化する。パラメータＲのこの変化を測定することにより、入射光子を検出する
【００３２】
本発明の特定の実施例を説明したが、特に開示しないが当該技術分野で知られる別の実施例または設計変更も本発明の範囲内に含まれることが意図される。従って、本発明の他の実施例は、開示された実施例を読み、頭書の特許請求の範囲及び図面を検討すれば、当業者にとって明らかになるであろうことがわかる。
【図面の簡単な説明】
【００３３】
【図１】方形波パルスを印加した後のＰＤＬＣセルの光の透過及びその応答を示す。この図の上部は１ｋＨｚの一定周波数における電界の関数としてのデータであり、下部は１Ｍｖ／ｍを与える一定振幅の１ｋＨｚの方形波パルスにつき収集したデータである。
【図２】方形波パルス印加後の時間の関数としてのＰＤＬＣセルの光の透過を示すグラフである。
【図３】照射時間の関数としての形状関数（Ｒ）のグラフである。
【図４】本発明による放射線検出装置の一実施例を示す概略図である。
【図１】
2004525356.tif 000003
【図２】
2004525356.tif 000004
【図３】
2004525356.tif 000005
【図４】
2004525356.tif 000006
【国際公開パンフレット】
2004525356.tif 000007
2004525356.tif 000008
2004525356.tif 000009
2004525356.tif 000010
2004525356.tif 000011
2004525356.tif 000012
2004525356.tif 000013
2004525356.tif 000014
2004525356.tif 000015
2004525356.tif 000016
2004525356.tif 000017
2004525356.tif 000018
2004525356.tif 000019
2004525356.tif 000020
2004525356.tif 000021
2004525356.tif 000022
2004525356.tif 000023
2004525356.tif 000024
【国際調査報告】
2004525356.tif 000025
2004525356.tif 000026